(57)【要約】【課題】表示部の表示面に表示される情報を他者に見せ易くすることを可能とした情報表示端末装置を提供する。【解決手段】表示面２ａを有する表示部２と、表示部２の表示面２ａとは反対側の面２ｂの内側に位置するように配置される把持部３と、を備える。この場合、把持部３を使用者が把持することによって、使用者の指が表示面２ａにかかることがないため、表示面２ａに表示される情報を他者に見せ易くすることが可能である。【選択図】図１
2017004055.tif 000002
【特許請求の範囲】
【請求項１】
表示面を有する表示部と、
前記表示部の前記表示面とは反対側の面の内側に位置するように配置される把持部と、を備える情報表示端末装置。
【請求項２】
前記表示面の短手方向における前記表示部の寸法よりも前記把持部の寸法が小さく、
前記表示面の長手方向における前記表示部の寸法よりも前記把持部の寸法が小さいことを特徴とする請求項１に記載の情報表示端末装置。
【請求項３】
前記把持部は、前記表示部の前記表示面とは反対側の面の内側から外側へと一部が突出するように、前記表示部に対して移動自在に取り付けられていることを特徴とする請求項１又は２に記載の情報表示端末装置。
【請求項４】
前記表示部の前記表示面とは反対側の面の内側から外側へと前記把持部の一部が突出した状態において、前記把持部の前記表示面と同じ側の面から露出する入力部を備えることを特徴とする請求項３に記載の情報表示端末装置。
【請求項５】
前記表示部に対して前記把持部が移動する方向が、前記表示面に表示される情報の上下方向と一致していることを特徴とする請求項４に記載の情報表示端末装置。
【請求項６】
前記表示部の鉛直方向に対する向きに応じて、前記表示面に表示される情報の上下方向の向きが切り替わることを特徴とする請求項５に記載の情報表示端末装置。
【発明の詳細な説明】
【技術分野】
【０００１】
本発明は、情報表示端末装置に関する。
【背景技術】
【０００２】
従来より、商品管理等の分野では、商品に付されたバーコードや二次元コードなどの情報を読み取ったり、各種の情報を入力操作したりするハンディターミナルを用いて、商品の登録や照合などが行われている（例えば、特許文献１，２を参照。）。
【０００３】
ハンディターミナルは、携帯可能な情報表示端末装置として、液晶パネル等からなる表示面に情報を表示する表示部や、商品に付された情報を光学的又は磁気的に読み取るリーダーなどの情報読取部、情報を入力操作する操作キーなどの入力部等を備えている。
【先行技術文献】
【特許文献】
【０００４】
【特許文献１】特開２０１３−１５６７５１号公報
【特許文献２】特開２０１２−２７９２３号公報
【発明の概要】
【発明が解決しようとする課題】
【０００５】
ところで、店舗などでは、お客が希望する商品の確認などに応対するため、店員がハンディターミナルを用いて商品の在庫確認などを行うことがある。その際に、店員がお客にハンディターミナルに表示された商品情報を見せることを検討している。
【０００６】
しかしながら、従来のハンディターミナル（情報表示端末装置）は、業務用として使用者（店員）以外の人（お客）に表示面に表示された情報を見せることについては考慮されておらず、他者に見せ難いといった問題があった。
【０００７】
本発明の一つの態様は、このような従来の事情に鑑みて提案されたものであり、表示部の表示面に表示される情報を他者に見せ易くすることを可能とした情報表示端末装置を提供することを目的の一つとする。
【課題を解決するための手段】
【０００８】
上記の目的を達成するために、本発明は以下の手段を採用した。
（１）  本発明の第１の態様における情報表示端末装置は、表示面を有する表示部と、前記表示部の前記表示面とは反対側の面の内側に位置するように配置される把持部と、を備えることを特徴とする。
【０００９】
（２）  前記（１）に記載の情報表示端末装置において、前記表示面の短手方向における前記表示部の寸法よりも前記把持部の寸法が小さく、前記表示面の長手方向における前記表示部の寸法よりも前記把持部の寸法が小さい構成であってもよい。
【００１０】
（３）  前記（１）又は（２）に記載の情報表示端末装置において、前記把持部は、前記表示部の前記表示面とは反対側の面の内側から外側へと一部が突出するように、前記表示部に対して移動自在に取り付けられている構成であってもよい。
【００１１】
（４）  前記（３）に記載の情報表示端末装置において、前記表示部の前記表示面とは反対側の面の内側から外側へと前記把持部の一部が突出した状態において、前記把持部の前記表示面と同じ側の面から露出する入力部を備える構成であってもよい。
【００１２】
（５）  前記（４）に記載の情報表示端末装置において、前記表示部に対して前記把持部が移動する方向が、前記表示面に表示される情報の上下方向と一致している構成であってもよい。
【００１３】
（６）  前記（５）に記載の情報表示端末装置において、前記表示部の鉛直方向に対する向きに応じて、前記表示面に表示される情報の上下方向の向きが切り替わる構成であってもよい。
【発明の効果】
【００１４】
以上のように、本発明の一つの態様によれば、表示部の表示面に表示される情報を他者に見せ易くすることを可能とした情報表示端末装置を提供することが可能である。
【図面の簡単な説明】
【００１５】
【図１】本発明の第１の実施形態に係る情報表示端末装置の構成を示す三面図である。
【図２】図１に示す情報表示端末装置を使用者が把持した状態を説明するための正面図である。
【図３】図１に示す情報表示端末装置の表示部の向きに対する表示面に表示される情報の向きを説明するための正面図である。
【図４】本発明の第２の実施形態に係る情報表示端末装置の構成を示す三面図である。
【図５】図４に示す情報表示端末装置を使用者が把持した状態を説明するための正面図である。
【図６】図４に示す情報表示端末装置の表示部の向きに対する表示面に表示される情報の向きを説明するための正面図である。
【発明を実施するための形態】
【００１６】
以下、本発明の実施形態について、図面を参照して詳細に説明する。
なお、以下の全ての図面においては、各構成要素を見やすくするため、構成要素によって寸法の縮尺を異ならせて示すことがある。また、以下の説明においては、図中においてＸＹＺ直交座標系を設定し、このＸＹＺ直交座標系を参照しつつ各部材の位置関係について説明する。
【００１７】
（第１の実施形態）
先ず、本発明の第１の実施形態として、例えば図１〜図３に示す情報表示端末装置１について説明する。なお、図１は、情報表示端末装置１の構成を示す三面図である。図２は、情報表示端末装置１を使用者Ｕが把持した状態を説明するための図であり、（ａ）は使用者Ｕが表示部２を把持した状態を示す正面図、（ｂ）は使用者Ｕが把持部３を把持した状態を示す正面図である。図３は、情報表示端末装置１の表示部２の向きに対する表示面２ａに表示される情報の向きを説明するための図であり、（ａ）は表示部２の先端側を上方に向けた状態を示す正面図、（ｂ）は表示部２の先端側を下方に向けた状態を示す正面図である。
【００１８】
情報表示端末装置１は、図１に示すようなハンディターミナルであり、表示面２ａを有する表示部２と、表示部２の表示面２ａとは反対側の面（以下、背面という。）２ｂに配置される把持部３とを備えている。
【００１９】
表示部２は、全体として略矩形平板状に形成されている。表示部２は、矩形状（長方形状）の表示面２ａを構成する、例えば液晶表示パネルや有機ＥＬパネルなどの表示パネルを有している。また、表示部２の表示面２ａの下方には、情報を入力操作する操作キーなどの入力部４が設けられている。なお、入力部４の形態については、特に限定されるものではなく、例えば表示面２ａを指で操作することによって、情報が入力可能なタッチパネルなどであってもよい。
【００２０】
表示部２の先端側には、商品に付された情報を光学的に読み取る情報読取部５が設けられている。情報読取部５は、例えば商品に印字されたバーコードや二次元コードなどに対して、ＬＥＤなどの光源から出射された赤外線（ＵＶ光）や可視光などの照明光を照射し、その反射光を受光素子で受光又は撮像素子で撮像することで、バーコードや二次元コードなどに記録された情報を読み取ることが可能となっている。また、情報読取部５は、商品に付された情報を光学的に読み取る構成に限らず、商品に付された情報を磁気的に読み取る構成であってもよい。
【００２１】
把持部３は、使用者が把持することが可能な部分であり、全体として略矩形平板状に形成されている。また、把持部３は、表示部２の背面２ｂの内側に位置するように、表示部２よりも小さく形成されている。すなわち、この情報表示端末装置１では、表示面２ａの短手方向（図１中のＸ軸方向）における表示部２の寸法（幅）Ｘ１よりも把持部３の寸法（幅）Ｘ２が小さく、表示面２ａの長手方向（図１中のＹ軸方向）における表示部２の寸法（長さ）Ｙ１よりも把持部３の寸法（長さ）Ｙ２が小さくなっている。
【００２２】
以上のような構成を有する情報表示端末装置１では、例えば使用者Ｕが他者に表示面２ａに表示された情報を見せる場合、図２（ａ）に示すように、表示部２を把持する使用者Ｕの指が表示面２ａにかかってしまうと、他者からは表示面２ａが見え難くなることがある。
【００２３】
これに対して、本実施形態の情報表示端末装置１では、図２（ｂ）に示すように、表示部２の背面２ｂの内側に位置する把持部３を把持することによって、使用者Ｕの指が表示面２ａにかかることがない。このため、表示面２ａに表示される情報を他者に見せ易くすることが可能である。
【００２４】
また、本実施形態の情報表示端末装置１では、表示部２の鉛直方向（本実施形態では−Ｙ軸方向とする。）に対する向きに応じて、表示面２ａに表示される情報の上下方向の向きが切り替わるようにしてもよい。すなわち、この情報表示端末装置１では、図３（ａ）に示す表示部２の先端側を上方（＋Ｙ軸方向）に向けた状態と、図３（ｂ）に示す表示部２の先端側を下方（−Ｙ軸方向）に向けた状態とで、表示面２ａに表示される情報が常に正立した状態で表示されるように、表示面２ａに表示される情報の上下方向（Ｙ軸方向）の向きが反転するように切り替える。これにより、表示面２ａに表示される情報を他者に見せる際に、表示部２の上下方向の向きに因らずに、表示面２ａに表示される情報を他者に見せ易くすることが可能である。
【００２５】
（第２の実施形態）
次に、本発明の第２の実施形態として、例えば図４〜図６に示す情報表示端末装置１Ａについて説明する。なお、図４は、情報表示端末装置１Ａの構成を示す三面図である。図５は、情報表示端末装置１Ａの把持部３を使用者Ｕが把持した状態を説明するための正面図である。図６は、情報表示端末装置１Ａの表示部２の向きに対する表示面２ａに表示される情報の向きを説明するための図であり、（ａ）は表示部２の先端側を上方に向けた状態を示す正面図、（ｂ）は表示部２の先端側を下方に向けた状態を示す正面図である。また、以下の説明では、上記情報表示端末装置１と同等の部位については、説明を省略すると共に、図面において同じ符号を付すものとする。
【００２６】
情報表示端末装置１Ａは、図４に示すように、表示部２に対して把持部３が移動（スライド）自在に取り付けられた構成である。すなわち、この把持部３は、表示部２の背面２ｂの内側に位置する状態から、表示部２の背面２ｂの外側へと一部が突出した状態へと切り替え可能となっている。また、表示部２に対して把持部３が移動する方向は、表示面２ａに表示される情報の上下方向（Ｙ軸方向）と一致している。
【００２７】
把持部３には、情報を入力操作する操作キーなどの入力部４Ａが設けられている。入力部４Ａは、把持部３の一部が突出した状態において、把持部３の表示面２ａと同じ側の面から露出する位置に配置されている。それ以外は、上記情報表示端末装置１と同様の構成を有している。
【００２８】
以上のような構成を有する情報表示端末装置１Ａでは、図５に示すように、把持部３の一部が突出した状態において、この把持部３を使用者Ｕが把持することによって、使用者Ｕの指が表示面２ａにかかることがない。このため、表示面２ａに表示される情報を他者に見せ易くすることが可能である。さらに、表示部２の幅Ｘ１よりも把持部３の幅Ｘ２が小さいため、把持部３を使用者Ｕが把持した状態で、表示部２の下端部分（図５中に示す破線部分）を安定した状態で支持することが可能である。
【００２９】
また、本実施形態の情報表示端末装置１Ａでは、表示部２の鉛直方向（−Ｙ軸方向）に対する向きに応じて、表示面２ａに表示される情報の上下方向の向きが切り替わるようにしてもよい。すなわち、この情報表示端末装置１Ａでは、図６（ａ）に示す表示部２の先端側を上方（＋Ｙ軸方向）に向けた状態と、図６（ｂ）に示す表示部２の先端側を下方（−Ｙ軸方向）に向けた状態とで、表示面２ａに表示される情報が常に正立した状態で表示されるように、表示面２ａに表示される情報の上下方向（Ｙ軸方向）の向きが反転するように切り替える。これにより、表示面２ａに表示される情報を他者に見せる際に、表示部２の上下方向の向きに因らずに、表示面２ａに表示される情報を他者に見せ易くすることが可能である。
【００３０】
なお、本発明は、上記実施形態のものに必ずしも限定されるものではなく、本発明の趣旨を逸脱しない範囲において種々の変更を加えることが可能である。
例えば、本発明は、上述したハンディターミナルに好適に適用されるものの、本発明が適用される情報表示端末装置については、上述したハンディターミナルに限らず、表示面を有する表示部と、使用者が把持する把持部とを備えた情報表示端末装置に対して幅広く本発明を適用することが可能である。
【符号の説明】
【００３１】
１，１Ａ…情報表示端末装置  ２…表示部  ２ａ…表示面  ２ｂ…背面  ３…把持部  ４，４Ａ…入力部  ５…情報読取部
【図１】
2017004055.tif 000003
【図２】
2017004055.tif 000004
【図３】
2017004055.tif 000005
【図４】
2017004055.tif 000006
【図５】
2017004055.tif 000007
【図６】
2017004055.tif 000008